(57)【特許請求の範囲】
【請求項１】
移動体の外部に配置され、放送信号を受信してその放送番組を収録可能な収録装置と、
前記移動体に搭載された放送信号受信手段と、
前記移動体に搭載され、前記放送信号受信手段において受信中の放送番組の収録指示の操作入力があるとその放送番組を提供する放送局のチャンネル情報を生成する生成手段と、
前記移動体に搭載され、前記生成手段により生成された前記チャンネル情報を空中伝播信号により送信する送信手段と、
前記移動体の外部に配置され、送信された前記チャンネル情報を受信して前記収録装置にそのチャンネルに相当する放送局の放送番組の収録動作を行わせる収録制御手段とから構成されていることを特徴とする放送番組収録システム。
【請求項２】
放送信号を受信してその放送番組の情報を収録可能な収録装置と、
移動体に搭載された放送信号受信手段と、
前記移動体が走行状態であるか判断する判断手段と、
前記放送信号受信手段が受信動作中に前記判断手段により前記移動体が走行状態であると判断されると、受信中の放送番組を提供する放送局のチャンネル情報を生成する生成手段と、
この生成手段により生成された前記チャンネル情報を空中伝播信号により送信する送信手段と、
送信された前記チャンネル情報を受信して前記収録装置にそのチャンネル情報に相当する放送局の放送番組の収録動作を行わせる収録制御手段とから構成されていることを特徴とする放送番組収録システム。
【請求項３】
前記移動体の外部に設けられ、前記放送信号受信手段により受信している放送番組を放送する放送局のチャンネルと前記収録装置により同放送番組の収録を行う場合の放送局のチャンネルとが異なる場合に、対応するチャンネルとなるように前記チャンネル情報を変換する変換手段を備えたことを特徴とする請求項１または２記載の放送番組収録システム。
【請求項４】
前記移動体の外部に設けられ、前記放送信号受信手段を搭載した移動体の位置と前記収録装置が設置された位置との間で前記放送局のチャンネルが異なる場合に、双方の間で同じ放送番組を受信できるように前記チャンネル情報を変換する変換手段を備えたことを特徴とする請求項１または２記載の放送番組収録システム。
【請求項５】
前記移動体に設けられ、前記放送信号受信手段により受信している放送番組を放送する放送局のチャンネルと前記収録装置により同放送番組の収録を行う場合の放送局のチャンネルとが異なる場合に、対応するチャンネルとなるように前記チャンネル情報を変換する変換手段を備えたことを特徴とする請求項１または２記載の放送番組収録システム。
【請求項６】
前記移動体に設けられ、前記放送信号受信手段を搭載した移動体の位置と前記収録装置が設置された位置との間で前記放送局のチャンネルが異なる場合に、双方の間で同じ放送番組を受信できるように前記チャンネル情報を変換する変換手段を備えたことを特徴とする請求項１または２記載の放送番組収録システム。
【請求項７】
前記放送信号受信手段により受信している放送番組を放送する放送局のチャンネルと前記収録装置により同放送番組の収録を行う場合の放送局のチャンネルとが異なる場合に、対応するチャンネルとなるように前記チャンネル情報を変換する変換手段を備え、
前記変換手段は、前記収録装置に備えられていることを特徴とする請求項１または２記載の放送番組収録システム。
【請求項８】
前記放送信号受信手段を搭載した移動体の位置と前記収録装置が設置された位置との間で前記放送局のチャンネルが異なる場合に、双方の間で同じ放送番組を受信できるように前記チャンネル情報を変換する変換手段を備え、
前記変換手段は、前記収録装置に備えられていることを特徴とする請求項１または２記載の放送番組収録システム。
【請求項９】
前記放送信号受信手段により受信している放送番組を放送する放送局のチャンネルと前記収録装置により同じ放送番組の収録を行う場合の放送局のチャンネルとが異なる場合に、対応するチャンネルとなるように前記チャンネル情報を変換する変換手段を備え、
前記変換手段は、前記放送信号受信手段と前記収録装置との間の通信経路に介在されていることを特徴とする請求項１または２記載の放送番組収録システム。
【請求項１０】
前記放送信号受信手段を搭載した移動体の位置と前記収録装置が設置された位置との間で前記放送局のチャンネルが異なる場合に、双方の間で同じ放送番組を受信できるように前記チャンネル情報を変換する変換手段を備え、
前記変換手段は、前記放送信号受信手段と前記収録装置との間の通信経路に介在されていることを特徴とする請求項１または２記載の放送番組収録システム。
【請求項１１】
移動体搭載用の放送信号受信手段と、
前記放送信号受信手段において受信中の放送番組の収録指示の操作入力があるとその放送番組を提供する放送局のチャンネル情報を生成する生成手段と、
放送信号を受信してその放送番組を収録可能な収録装置に対して、前記放送信号受信手段で受信中の放送番組と同じ放送番組を収録させるため、前記生成手段により生成された前記チャンネル情報を空中伝播信号により送信する送信手段とを備えたことを特徴とする放送番組収録指示装置。
【請求項１２】
移動体に搭載された放送信号受信手段と、
前記移動体が走行状態であるか判断する判断手段と、
前記放送信号受信手段が受信動作中に前記判断手段により前記移動体が走行状態であると判断されると、受信中の放送番組を提供する放送局のチャンネル情報を生成する生成手段と、
放送信号を受信してその放送番組を収録可能な収録装置に対して前記生成手段により生成された前記チャンネル情報を空中伝播信号により送信する送信手段とを備えたことを特徴とする放送番組収録指示装置。
【請求項１３】
前記放送信号受信手段により受信している放送番組を放送する放送局の受信チャンネルと前記収録装置により同放送番組の収録を行う場合の放送局の受信チャンネルとが異なる場合に、対応する受信チャンネルとなるように前記チャンネル情報を変換する変換手段を備えたことを特徴とする請求項１１または１２記載の放送番組収録指示装置。
【請求項１４】
前記放送信号受信手段を搭載した移動体の位置と前記収録装置が設置された位置との間で前記放送局のチャンネルが異なる場合に、双方の間で同じ放送番組を受信できるように前記チャンネル情報を変換する変換手段を備えたことを特徴とする請求項１１または１２記載の放送番組収録指示装置。
【請求項１５】
放送信号を受信してその放送番組を収録可能な収録装置と、
請求項１１ないし１４のいずれかに記載の放送番組収録指示装置から前記チャンネル情報を受信すると、前記収録装置にそのチャンネル情報が示す放送局の放送番組の収録動作を行わせる収録制御手段とを備えたことを特徴とする放送番組収録装置。
【請求項１６】
移動体の外部に配置され、放送信号を受信してその放送番組を収録可能な収録装置と、
移動体に搭載された放送信号受信手段と、
前記移動体に搭載され前記放送信号受信手段において受信中の放送番組の収録指示の操作入力があるとその放送番組を提供する放送局のチャンネル情報を生成する生成手段と、
前記移動体に搭載され前記生成手段により生成された前記チャンネル情報を空中伝播信号により送信する送信手段とを備えた放送番組収録システムにおける収録装置であって、
前記送信手段により送信された前記チャンネル情報を受信して前記収録装置にそのチャンネルに相当する放送局の放送番組の収録動作を行わせる収録制御手段を備えたことを特徴とする収録装置。
【請求項１７】
前記放送番組収録システムは、
前記移動体の外部に設けられ、前記放送信号受信手段により受信している放送番組を放送する放送局のチャンネルと前記収録装置により同放送番組の収録を行う場合の放送局のチャンネルとが異なる場合に、対応するチャンネルとなるように前記チャンネル情報を変換する変換手段を備えたことを特徴とする請求項１６記載の収録装置。
【請求項１８】
前記放送番組収録システムは、
前記移動体の外部に設けられ、前記放送信号受信手段を搭載した移動体の位置と前記収録装置が設置された位置との間で前記放送局のチャンネルが異なる場合に、双方の間で同じ放送番組を受信できるように前記チャンネル情報を変換する変換手段を備えたことを特徴とする請求項１６記載の収録装置。
【請求項１９】
前記放送番組収録システムは、
前記移動体に設けられ、前記放送信号受信手段により受信している放送番組を放送する放送局のチャンネルと前記収録装置により同放送番組の収録を行う場合の放送局のチャンネルとが異なる場合に、対応するチャンネルとなるように前記チャンネル情報を変換する変換手段を備えたことを特徴とする請求項１６記載の収録装置。
【請求項２０】
前記放送番組収録システムは、
前記移動体に設けられ、前記放送信号受信手段を搭載した移動体の位置と前記収録装置が設置された位置との間で前記放送局のチャンネルが異なる場合に、双方の間で同じ放送番組を受信できるように前記チャンネル情報を変換する変換手段を備えたことを特徴とする請求項１６記載の収録装置。
【請求項２１】
前記放送信号受信手段により受信している放送番組を放送する放送局のチャンネルと前記収録装置により同放送番組の収録を行う場合の放送局のチャンネルとが異なる場合に、対応するチャンネルとなるように前記チャンネル情報を変換する変換手段を備えたことを特徴とする請求項１６記載の収録装置。
【請求項２２】
前記放送信号受信手段を搭載した移動体の位置と前記収録装置が設置された位置との間で前記放送局のチャンネルが異なる場合に、双方の間で同じ放送番組を受信できるように前記チャンネル情報を変換する変換手段を備えたことを特徴とする請求項１６記載の収録装置。
【請求項２３】
前記放送信号受信手段により受信している放送番組を放送する放送局のチャンネルと前記収録装置により同放送番組の収録を行う場合の放送局のチャンネルとが異なる場合に、対応するチャンネルとなるように前記チャンネル情報を変換する変換手段を備え、
前記変換手段は、前記放送信号受信手段と前記収録装置との間の通信経路に介在されていることを特徴とする請求項１６記載の収録装置。
【請求項２４】
前記放送信号受信手段を搭載した移動体の位置と前記収録装置が設置された位置との間で前記放送局のチャンネルが異なる場合に、双方の間で同じ放送番組を受信できるように前記チャンネル情報を変換する変換手段を備え、
前記変換手段は、前記放送信号受信手段と前記収録装置との間の通信経路に介在されていることを特徴とする請求項１６記載の収録装置。
【請求項２５】
移動体の外部に配置され、放送信号を受信してその放送番組を収録可能な収録装置と、
前記移動体に搭載された放送信号受信手段を備えた放送番組収録指示装置と、
前記移動体に搭載され、前記放送信号受信手段において受信中の放送番組の収録指示の操作入力があるとその放送番組を提供する放送局のチャンネル情報を生成する生成手段と、
前記移動体の外部に設けられ、前記放送信号受信手段により受信している放送番組を放送する放送局の受信チャンネルと前記収録装置に同放送番組の収録を行う場合の放送局の受信チャンネルとが異なる場合に、対応する受信チャンネルとなるように前記チャンネル情報を変換し、前記変換されたチャンネル情報を前記収録装置へ収録指示する変換手段とを備えた放送番組収録システムにおける放送番組収録指示装置であって、
前記生成手段により生成された前記チャンネル情報を空中伝播信号により前記変換手段に送信する送信手段を備えたことを特徴とする放送番組収録指示装置。
【請求項２６】
移動体の外部に配置され、放送信号を受信してその放送番組を収録可能な収録装置と、
前記移動体に搭載された放送信号受信手段を備えた放送番組収録指示装置と、
前記移動体に搭載され、前記放送信号受信手段において受信中の放送番組の収録指示の操作入力があるとその放送番組を提供する放送局のチャンネル情報を生成する生成手段と、
前記移動体の外部に設けられ、前記放送信号受信手段を搭載した移動体の位置と前記収録装置が設置された位置との間で前記放送局のチャンネルが異なる場合に、双方の間で同じ放送番組を受信できるように前記チャンネル情報を変換し、前記変換されたチャンネル情報を前記収録装置へ収録指示する変換手段とを備えた放送番組収録システムにおける放送番組収録指示装置であって、
前記生成手段により生成された前記チャンネル情報を空中伝播信号により前記変換手段に送信する送信手段を備えたことを特徴とする放送番組収録指示装置。
【請求項２７】
移動体の外部に配置され、放送信号を受信してその放送番組を収録可能な収録装置と、
前記移動体に搭載された放送信号受信手段を備えた放送番組収録指示装置と、
前記移動体に搭載され、前記放送信号受信手段において受信中の放送番組の収録指示の操作入力があるとその放送番組を提供する放送局のチャンネル情報を生成する生成手段と、
前記移動体と前記収録装置との通信経路に配置され、前記生成手段にて生成されたチャンネル情報を変換する変換装置とを備えた放送番組収録システムにおける変換装置であって、
前記変換装置は、前記放送信号受信手段により受信している放送番組を放送する放送局の受信チャンネルと前記収録装置により同放送番組の収録を行う場合の放送局の受信チャンネルとが異なる場合に、対応する受信チャンネルとなるように前記チャンネル情報を変換し、前記変換されたチャンネル情報を前記収録装置へ収録指示することを特徴とする変換装置。
【請求項２８】
移動体の外部に配置され、放送信号を受信してその放送番組を収録可能な収録装置と、
前記移動体に搭載された放送信号受信手段を備える放送番組収録指示装置と、
前記移動体に搭載され、前記放送信号受信手段において受信中の放送番組の収録指示の操作入力があるとその放送番組を提供する放送局のチャンネル情報を生成する生成手段と、
前記移動体と前記収録装置との通信経路に配置され、前記生成手段にて生成されたチャンネル情報を変換する変換装置とを備えた放送番組収録システムにおける前記変換装置であって、
前記変換装置は、前記放送信号受信手段により受信している放送番組を放送する放送局の受信チャンネルと前記収録装置により同放送番組の収録を行う場合の放送局の受信チャンネルとが異なる場合に、双方の間で同じ放送番組を受信できるように前記チャンネル情報を変換し、前記変換されたチャンネル情報を前記収録装置へ収録指示することを特徴とする変換装置。
【請求項２９】
前記放送信号受信手段は、テレビの放送番組を受信することを特徴とする請求項１ないし１０の何れかに記載の放送番組収録システム。
【請求項３０】
前記放送信号受信手段は、テレビの放送番組を受信することを特徴とする請求項１１ないし１４、２５、２６の何れかに記載の放送番組収録指示装置。
【請求項３１】
前記放送信号受信手段は、テレビの放送番組を受信することを特徴とする請求項１５記載の放送番組収録装置。
【請求項３２】
前記放送信号受信手段は、テレビの放送番組を受信することを特徴とする請求項１６ないし２４の何れかに記載の収録装置。
【請求項３３】
前記放送信号受信手段は、テレビの放送番組を受信することを特徴とする請求項２７または２８記載の変換装置。
【発明の詳細な説明】
【０００１】
【発明の属する技術分野】
本発明は、特に移動体に設けられたメディアにより受信可能な放送番組を収録する放送番組収録システム，放送番組収録指示装置，収録装置，放送番組収録装置，及び、変換装置に関する。
【０００２】
【従来の技術】
従来、ユーザが所望の視聴したいメディア（ラジオ、テレビ）の放送番組を家庭で収録したいときに、例えばテレビ番組に対してユーザは家庭用録画装置で録画することができる。そして、ユーザが外出する必要が生じる場合であっても、あらかじめ家庭用録画装置で予約を行うことで録画することができる。
【０００３】
またユーザが外出する際に車両を用い、この車両に乗車している最中でもテレビ番組を視聴可能とするために車載テレビが発売されている。この車載テレビの再生表示を制御する発明として特許２９１４６９４号公報に開示された車両用情報表示装置がある。
【０００４】
この車両用情報表示装置によれば、車両が走行を始めると、必ず映像の表示は不可能となり、安全な運転状態が確保され、必要があれば該走行中の再生映像を映像記録手段に記録しておくことができ、車両停止時に始めて再生表示して見ることができる。また、必要に応じて映像再生操作手段を操作することで、移動体停止中の所望の時点で記録された映像を再生することができる。
【０００５】
【発明が解決しようとする課題】
しかしながら、この従来の車両用情報表示装置が再生映像を映像記録手段に記録するとき、車両が走行中に映像を記録することになるため、車両用情報表示装置のメディア情報の電波受信具合が変化し、受信信号対雑音比（以降Ｓ／Ｎ比と称する）は悪化することもある。このとき特に映像の画質が悪化してしまい、これに伴い車載テレビで録画する画質も悪化してしまう。
【０００６】
また、電話回線などで外部から操作できる家庭用録画装置がある。これを用いることで、車載テレビで視聴した内容を録画したいときに電話回線で外出先から家庭内録画装置に録画設定することができる。しかし、ユーザは、チャンネルの指定を行う必要があるので、操作が煩わしくなるという事情がある。
【０００７】
本発明は、上記事情に鑑みてなされたもので、その目的は、移動体に搭載されたメディアの放送番組を視聴している場合、ユーザがその放送番組を収録したいときに、ユーザの簡単な操作のみでその収録内容の画質や音質を向上することができる放送番組収録システム，この収録を指示することができる車両等の移動体に搭載される放送番組収録指示装置，収録装置，変換装置，家庭等に設置される放送番組収録装置を提供するにある。
【０００８】
【課題を解決するための手段】
請求項１記載の発明によれば、放送信号受信手段において受信中の放送番組の収録指示がユーザの操作入力により行われると、生成手段は、その放送番組を提供する放送局のチャンネル情報を生成して、送信手段はこのチャンネル情報を空中伝播信号により送信する。収録制御手段は、送信されたこのチャンネル情報を受信して相当する放送局の放送番組の収録動作を収録装置に行わせる。これにより、移動体乗車中に放送信号受信手段で視聴する放送番組をその場所からチャンネル情報を受信可能な別の場所にある収録装置に対して収録指示することができる。また、ユーザは収録指示の操作入力をするのみの簡単な操作のみで、受信中の放送番組を収録装置が設置される環境において画質や音質を向上させたものとして収録することができる。
【０００９】
請求項２記載の発明によれば、判断手段により移動体が走行状態であると判断されると、生成手段は、受信中の放送番組を提供する放送局のチャンネル情報を生成する。送信手段は、生成されたチャンネル情報を空中伝播信号により送信して、収録制御手段は収録装置にチャンネルに相当する放送局の放送番組の収録動作を行わせる。これにより、移動体を走行させたときには、収録装置により放送番組の収録を自動的に行うことができると共に、ユーザの手を煩わせることなく受信中の放送番組を収録装置が設置される環境において画質や音質を向上させたものとして収録することができる。
【００１０】
請求項３または５記載の発明によれば、請求項１または２記載の発明において、放送信号受信手段により受信している放送番組を放送する放送局のチャンネルと、収録装置により同放送番組の収録を行う場合の放送局のチャンネルとが異なる場合に、変換手段は、対応するチャンネルとなるようにチャンネル情報を変換することができる。これにより、ユーザはこれらのチャンネルの対応を意識することなく、受信中の放送番組を確実に収録することができ、ユーザにとって利便性を向上させることができる。
【００１１】
請求項４または６記載の発明によれば、請求項１または２記載の発明において、移動体が移動している地域と収録装置の設置されている地域とで放送局のチャンネルが異なる場合であっても、上述と同様に、ユーザはこれらのチャンネルの対応を意識することなく確実に収録することができ、ユーザにとって利便性を向上させることができる。
【００１３】
請求項７記載の発明によれば、請求項１または２記載の発明において、収録装置に設けられた変換手段は、送信手段から送信されたチャンネル情報を受信すると、移動体が存在する地域におけるチャンネルと収録装置に設定されたチャンネルとの対応から変換する。
請求項８記載の発明によれば、請求項１または２記載の発明において、収録装置に設けられた変換手段は、放送信号受信手段を搭載した移動体の位置と収録装置が設置された位置との間で放送局のチャンネルが異なる場合に、双方の間で同じ放送番組を受信できるようにチャンネル情報を変換する。
これにより、移動体側に特別な装置を設けることなく、チャンネル情報の変換を行うことができる。
【００１４】
請求項９記載の発明によれば、請求項１または２記載の発明において、放送信号受信手段と収録装置との間の通信経路に介在されている変換手段は、変換手段にあらかじめ設定された地域におけるチャンネルと収録装置に設定されたチャンネルとの対応から変換する。
請求項１０記載の発明によれば、請求項１または２記載の発明において、放送信号受信手段と収録装置との間の通信経路に介在されている変換手段は、放送信号受信手段を搭載した移動体の位置と収録装置が設置された位置との間で放送局のチャンネルが異なる場合に、双方の間で同じ放送番組を受信できるようにチャンネル情報を変換する。
これにより、移動体もしくは収録装置側に特別な装置を設けることなく、チャンネル情報の変換を行うことができる。
【００１５】
【発明の実施の形態】
（第１の実施形態）
以下本発明を、移動体としての車両１に搭載された指示装置２（本発明でいうところの放送番組収録指示装置）と、車両１を所有するユーザの自宅Ａに固定設置された放送番組収録装置としての固定装置３とを有した放送番組収録システム４に適用した第１の実施形態について図１ないし図３を参照して説明する。図１は、放送番組収録システム４の概略構成を示している。
【００１６】
放送番組収録システム４は、車両１に搭載される指示装置２と、この指示装置２よりチャンネル情報が無線により送信される基地局５ａを有する通信網５と、この通信網５を介してチャンネル情報が送信される自宅Ａに設置された固定装置３とから構成されている。車両１に搭載された指示装置２は、生成手段及び判断手段としての制御回路６と、この制御回路６に接続される車載テレビ７，車速センサ８，操作スイッチ９及び無線通信機１０とから構成されている。
【００１７】
制御回路６は、図示しないＣＰＵ(Central Processing Unit)，メモリ等からなるもので、メモリはＲＡＭ及びＥＥＰＲＯＭ，ＲＯＭ等からなるものである。
ＲＯＭには指示装置２を動作させるための制御プログラムが記憶されており、ＣＰＵは、この制御プログラムに従って、接続される各構成ブロックの動作を制御するようになっている。尚、メモリには、制御プログラム及びワークメモリ領域が確保されている。
【００１８】
放送信号受信手段としての車載テレビ７は、電源スイッチ７ａ，選局スイッチ７ｂ，アンテナ７ｃ，モニタ７ｄ等を有しておりアンテナ７ｃより放送信号を受信して内蔵するモニタに対して、選局スイッチ７ｂにより設定されたチャンネルの放送局による放送番組の映像を映し、内蔵するスピーカより放送番組の音声を出力するようになっている。制御回路６は、車載テレビ７に設定されたチャンネルを検出できるように構成されている。
【００１９】
また、制御回路６は、車速センサ８により車両１の速度を検出できるようになっており、操作スイッチ９により操作入力があるとその操作に対する操作信号を検出できるようになっている。操作スイッチ９は、例えば収録指示をユーザからワンタッチで入力できるように構成されている。
【００２０】
送信手段としての無線通信機１０は、制御回路６から送られるチャンネル情報を基地局５ａ側に無線により送信するようになっている。
【００２１】
固定装置３は、通信網５に接続される収録制御装置３ａと、この収録制御装置３ａに接続される録画装置３ｂと、この録画装置３ｂに接続される例えばパラボラアンテナで形成されるＢＳ／ＣＳ用アンテナ３ｃ及び導波器，反射器などが備え付けられたＶＨＦ／ＵＨＦ用アンテナ３ｄとから構成されており、通常の放送信号が受信できるように構成されている。
【００２２】
収録制御装置３ａは、図示しないＣＰＵ(Central Processing Unit)，メモリ等からなるもので、通信網５を介して送信されたチャンネル情報を受信して録画装置３ｂに適応できるデータに変換して録画装置３ｂに送信できるようになっている。録画装置３ｂは、送信されたデータを受信してそのデータのチャンネルに選局してアンテナ３ｃあるいはアンテナ３ｄを介して放送信号を受信して放送番組を収録可能となっている。
【００２３】
上述の構成につきその作用を図２及び図３をも参照して説明する。図２は、指示装置２の動作をフローチャートで示している。
【００２４】
指示装置２の制御回路６は、車載テレビ７の電源スイッチ７ａが車両１に乗車したユーザによりオンにされたことを検出し（ステップＳ１：Ｙｅｓ）、車載テレビ７は、アンテナ７ｃより放送信号を受信して内蔵するモニタ７ｄに対して、ユーザにより設定されたチャンネルの放送局による放送番組の映像を映し、内蔵するスピーカより放送番組の音声を出力する。車載テレビ７の電源スイッチ７ａがオンにされたことが検出された後、制御回路６は、車載テレビ７を視聴するユーザにより操作スイッチ９が操作されたか否かを判定する（ステップＳ２）。すなわち、ユーザにより操作入力があったか否かを判定する。
【００２５】
制御回路６は、操作信号が検出されなければ、操作スイッチ９が操作されていないと判定し（ステップＳ２：Ｎｏ）、車速センサ８より検出された車両１の速度が所定のしきい値を上回ったか否かを判定する（ステップＳ３）。車両１の速度が所定のしきい値を上回っていなければ（ステップＳ３：Ｎｏ）、例えば車両が動いていなければ、ステップＳ２に戻り上述の動作を繰り返す。ステップＳ２において、操作スイッチ９が操作されるか、もしくは、ステップＳ３において、車両１の速度が所定のしきい値を上回ったときに、制御回路６は、ステップＳ４の処理を行う。制御回路６は、車載テレビ７に設定されたチャンネルを検出し、このチャンネルに相当するチャンネル情報を生成する（ステップＳ４）。制御回路６は、チャンネル情報を生成すると、このチャンネル情報を無線通信機１０を介して無線により送信する（ステップＳ５）。
【００２６】
図３は、固定装置３における動作をフローチャートで示している。
収録制御装置３ａは、通信網５からチャンネル情報を受信し（ステップＴ１）、録画装置３ｂに適応するチャンネルを設定して録画装置３ｂに録画させる（ステップＴ２）。録画装置３ｂは、接続されるＢＳ／ＣＳ用アンテナ３ｃもしくはＶＨＦ／ＵＨＦ用アンテナ３ｄから放送信号を受信して録画する。なお、録画装置３ｂでは音声も収録される。このようにして、チャンネル情報は車両１に搭載された指示装置２から固定装置３に送信され録画装置３ｂで対応して収録される。
【００２７】
このような第１の実施形態によれば、車載テレビ７において受信中の放送番組の収録指示がユーザの操作入力により行われると、制御回路６は、その放送番組を提供する放送局のチャンネル情報を生成して、無線通信機１０を介して無線（空中伝播信号）により送信する。収録制御装置３ａは、送信されたこのチャンネル情報を受信して相当する放送局の放送番組の収録動作を録画装置３ｂに行わせる。これにより、車両１乗車中に車載テレビ７で視聴中の放送番組をその場所から自宅Ａの録画装置３ｂに録画させることができる。また、ユーザは収録指示の操作入力として操作スイッチ９をワンタッチ操作するのみの簡単な操作で、画質や音質を向上させたものとして収録することができる。
【００２８】
（第２の実施形態）
図４ないし図７は、本発明の第２の実施形態を示すもので、第１の実施形態と異なるところは、車両の位置検出を行う位置検出部１１を設け、チャンネル情報の変換処理を変更した部分と、制御回路６に代えて放送番組収録指示装置としての指示装置１３に対する制御内容を変更した生成手段及び判断手段としての制御回路１６を設けた部分、並びに収録制御装置３ａに代えて放送番組収録装置としての固定装置１７に対する制御内容を変更した収録制御装置３ｅを設けた部分にあり、変更された放送番組収録システム１４に対して以下説明する。なお、第１の実施形態と同一部分には同一符号を付してその説明を省略し、以下異なる部分についてのみ説明する。
【００２９】
車両１に搭載される位置検出部１１は、ＧＰＳ受信機１１ａを備えたもので、複数のＧＰＳ衛星１２から受信する電波をもとに位置検出、位置補正を行い、位置検出信号を制御回路１６に出力できるように構成されている。
【００３０】
制御回路１６は、位置検出信号から位置情報を生成して無線通信機１０を介して外部に出力できるようになっている。その他の構成については、第１の実施形態と同様であるので、その構成説明を省略する。
【００３１】
上述の構成につきその作用を図５及び図６をも参照して説明する。図５は、指示装置２の動作をフローチャートで示している。尚、異なる部分についてはそのステップ番号に添え字ａを付して表わした。
指示装置２の制御回路６は、車載テレビ７の電源スイッチ７ａが車両１に乗車したユーザによりオンにされたか否かを検出し（ステップＳ１）、車載テレビ７は、アンテナ７ｃより放送信号を受信して内蔵するモニタに対して、ユーザにより設定されたチャンネルの放送局による放送番組の映像を映し、内蔵するスピーカより放送番組の音声を出力する。車載テレビ７の電源スイッチ７ａがオンにされたことが検出された後、制御回路１６は、車載テレビ７を視聴するユーザにより操作スイッチ９が操作されたか否かを判定する（ステップＳ２）。すなわち、ユーザにより操作入力があったか否かを判定する。
【００３２】
制御回路１６は、操作信号が検出されなければ、操作スイッチ９が操作されていないと判定し（ステップＳ２：Ｎｏ）、車速センサ８により検出された車両１の速度が所定のしきい値を上回ったか否かを判定する（ステップＳ３）。車両１の速度が所定のしきい値を上回っていなければ（ステップＳ３：Ｎｏ）、すなわち、車両が動いていなければ、ステップＳ２に戻り上述の動作を繰り返す。ステップＳ２において、操作スイッチ９が操作されるか、もしくは、ステップＳ３において、車両１の速度が所定のしきい値を上回ったときに、制御回路１６は、ステップＳ４ａの処理を行う。
【００３３】
制御回路１６は、車載テレビ７に設定されたチャンネルを検出して、このチャンネルに相当するチャンネル情報を生成して、また、位置検出部１１により位置を検出する（ステップＳ４ａ）。制御回路１６は、位置検出信号から位置情報を生成すると共にチャンネル情報を生成して、この位置情報とチャンネル情報とを無線により送信する（ステップＳ５ａ）。
【００３４】
図６は、固定装置３における動作をフローチャートで示している。また、図７は、録画装置３ｂ内のメモリにあらかじめ記憶される、地域とチャンネルとの対応の一例の概要を示している。録画装置３ｂは、例えば日本国内の地域とその地域毎に割り当てられた地域番号と、テレビを使用する周波数帯域ごとに設定されたチャンネルとをその地域と対応して記憶している。ここでは、名古屋地域と東京地域の一例を示している。
収録制御装置３ｅは、録画装置３ｂに設定された全チャンネルと地域番号とを読みこむ（ステップＵ１）。収録制御装置３ｅは、チャンネル情報と位置情報とを通信網５を介して受信して、受信した車両の位置情報から車両の存在する地域の地域番号を特定する（ステップＵ２）。収録制御装置３ｅは、録画装置に設定された地域番号に対応するチャンネルに変換して（ステップＵ３）、録画装置にチャンネルを設定して録画動作を行わせる（ステップＵ４）。
【００３５】
このようにして、車両１の位置と録画装置３ｂが設置された位置との間で前記放送局のチャンネルが異なる場合に、収録制御装置３ｅにおいてチャンネル変換を行うことができる。
【００３６】
このような第２の実施形態によれば、車載テレビ７において受信中の放送番組の録画指示がユーザの操作入力により行われると、制御回路１６は、その放送番組を提供する放送局のチャンネル情報を生成して、無線通信機１０はこのチャンネル情報を無線（空中伝播信号）により送信する。収録制御装置３ａは、送信されたこのチャンネル情報を受信して相当する放送局の放送番組の録画動作を録画装置３ｂに行わせる。これにより、車両１乗車中に車載テレビ７で視聴する放送番組をその場所から録画装置３ｂに録画することができる。また、ユーザは録画指示の操作入力をするのみの簡単な操作のみで、たとえ車両１が走行中であったとしても受信中の放送番組を収録装置が設置される環境において画質や音質を向上させたものとして録画することができる。
【００３７】
車載テレビ７により受信している放送番組を放送する放送局のチャンネルと、録画装置３ｂにより同放送番組の録画を行う場合の放送局のチャンネルとが異なる場合に、収録制御装置３ｅは、双方の間で同じ放送番組を受信できるように、対応するチャンネルとなるようにチャンネル情報を変換することができる。これにより、録画装置３ｂにあらかじめ設定されたチャンネルと、視聴する放送局のチャンネルとが異なる場合であっても、ユーザはこれらのチャンネルの対応を意識することなく、車載テレビ７により受信中の放送番組を確実に収録することができ、ユーザにとって利便性を向上させることができる。
【００３８】
また、車載テレビ７により受信している放送局のチャンネルと、録画装置３ｂにより録画を行う場合の放送局のチャンネルとが異なる場合に、収録制御装置３ｅは、双方の間で同じ放送番組を受信できるように、対応するチャンネルとなるようにチャンネル情報を変換する。これにより、録画装置３ｂにあらかじめ設定されたチャンネルと、視聴する放送番組の放送局のチャンネルとが異なる場合であっても、ユーザはこれらのチャンネルの対応を意識することなく収録することができ、ユーザにとって利便性を向上させることができる。
【００３９】
車両１が移動している地域と録画装置３ｂの設置されている地域とで放送局のチャンネルが異なる場合であっても、ユーザはこれらのチャンネルの対応を意識することなく収録することができるので、ユーザにとって利便性を向上させることができる。
【００４０】
録画装置３ｂ側に設けられた収録制御装置３ｅは、無線通信機１０が無線（空中伝播信号）により送信されたチャンネル情報を、録画装置３ｂにあらかじめ設定された車両１の移動可能地域におけるチャンネルと録画装置３ｂに設定されたチャンネルとの対応から変換する。これにより、車両１側に特別な装置を設けることなく、チャンネル情報の変換を行うことができる。
【００４１】
また、録画装置３ｂの設置状況によっては、録画装置３ｂが集合住宅に設置され、個々の家庭に電波が届きにくい場合、個々の家庭の録画装置３ｂから集合アンテナに接続されていることがある。このとき、その地域の地域番号に対応していないチャンネルが設定されていることもある。その地域の地域番号に対応していないチャンネルが録画装置３ｂに設定されていたとしても、収録制御装置３ｅは、録画装置３ｂに設定されたチャンネルを読みこむことで、チャンネル情報の変換を行うことができる。
【００４２】
（他の実施形態）
本発明は上述した実施の形態に限定されず、以下に示す変更または拡張が可能である。
車載テレビ７と録画装置３ｂとの間の通信経路に介在されている通信網５に変換器（変換装置に相当）を設置して、この変換器において録画装置３ｂに設定された図７に示した全チャンネルと地域番号とを読みこみチャンネル情報を変換するように構成することもできる。
【００４３】
すなわち、収録制御装置３ａまたは３ｅに代えて制御内容を変更するように構成した収録制御装置を採用して、ユーザが自宅Ａにいるときに、収録制御装置を操作することで変換器に対して通信を行い、録画装置３ｂに設定された全チャンネルと地域番号とを変換器に送信してあらかじめ設定する。
【００４４】
ユーザが車両１を用いて外出するとき、ユーザによる操作スイッチ９による操作もしくは車両１の速度がしきい値を上回ったときに、変換器は、収録制御装置より送信された全チャンネルと地域番号とを読みこんで、変換器において受信した車両の位置情報から車両の存在する地域の地域番号を特定し、録画装置３ｂに設定された地域番号と車両の存在する地域の地域番号とを対応して録画装置３ｂに適応するチャンネルに変換する。変換器はこのチャンネルをデータとして収録制御装置に対して送信する。収録制御装置は、チャンネルを録画装置３ｂに設定して録画動作を行わせる。
【００４５】
すなわち、変換器にあらかじめ設定された地域におけるチャンネルと録画装置３ｂに設定されたチャンネルとの対応から変換する。これにより、車両１もしくは録画装置３ｂ側に特別な装置を設けることなく、チャンネル情報の変換を行うことができる。
【００４６】
また、同様に録画装置３ｂに設定された全チャンネルと地域番号とを、車両１に搭載される指示装置２にあらかじめ設定するように構成することも可能である。制御回路１６または２６に代えて制御内容を変更するように構成した指示装置の制御回路において、録画装置３ｂに設定された図７に示した全チャンネルと地域番号とをあらかじめ読みこませる。すなわち、ユーザが自宅Ａにいるときに、収録制御装置を操作することで無線通信機１０を介して車両１の制御回路に対して通信を行い、録画装置３ｂに設定された全チャンネルと地域番号とを制御回路に対して送信して制御回路に内蔵したメモリにあらかじめ設定する。
【００４７】
ユーザが車両１を用いて外出するとき、ユーザによる操作スイッチ９による操作もしくは車両１の速度がしきい値を上回ったときに、制御回路は、受信した車両の位置情報から車両の存在する地域の地域番号を特定し、録画装置３ｂに設定された地域番号と車両の存在する地域の地域番号とを対応して録画装置３ｂに適応するチャンネルに変換する。制御回路がこのチャンネルをデータとして収録制御装置に対して無線通信機１０を介して送信する。収録制御装置は、チャンネルを録画装置３ｂに設定して録画動作を行わせる。
【００４８】
これにより、変換手段として車載テレビ７側の制御回路に設けられた場合には、車載テレビ７側の制御回路にあらかじめ設定された録画装置３ｂのチャンネルと、車載テレビ７が受信している放送局のチャンネルとの対応からチャンネル情報を変換して、無線通信機１０はこのチャンネル情報を送信する。この場合に、録画装置３ｂ側に特別な装置を設けることなく、チャンネル情報の変換を行うことができる。
【００４９】
アンテナ３ｃ，３ｄ以外に、ケーブルテレビや共同アンテナを用いた放送信号の受信をする収録装置でもよい。
【００５０】
また、第１または第２の実施形態においては、操作入力する操作手段として操作スイッチ９を設けて説明を行い、また、車両の走行状態を判断するために車速センサ８を設けて説明を行ったが、操作スイッチ９のみでユーザに操作させるように構成することもできるし、車速センサ８のみで走行状態を判断するように構成してもよい。また、車両の走行状態を判断するためには位置検出部１１を用いて走行状態を制御回路にて監視するように構成することも可能である。
【００５１】
放送信号受信手段として車載テレビ７，収録装置として録画装置３ｂを用いて説明を行ったが、放送信号受信手段としてラジオを受信するための車載ラジオ，収録装置として録音装置を用いても良い。
【００５２】
空中伝播信号として第１または第２の実施形態においては無線により説明を行ったが、赤外線等の電磁波による通信を行うことも可能である。
【００５３】
車両１がチャンネル情報と共に位置情報を送信するように構成したが、車両１の存在する位置のあらかじめ定められた地域番号をチャンネル情報と共に送信するようにしてもよい。
【図面の簡単な説明】
【図１】本発明の第１の実施形態を示す放送番組収録システムの概略図
【図２】指示装置の動作を示すフローチャート
【図３】固定装置の動作を示すフローチャート
【図４】本発明の第２の実施形態を示す図１相当図
【図５】図２相当図
【図６】図３相当図
【図７】地域とチャンネルとの対応の一例を示す図
【符号の説明】
１は車両（移動体）、２は指示装置（放送番組収録指示装置）、３は固定装置（放送番組収録装置）、３ａは収録制御装置（収録制御手段）、３ｂは録画装置（収録装置）、４，１４は放送番組収録システム、５は通信網、６，１６は制御回路（生成手段，判断手段）、７は車載テレビ（放送信号受信手段）、８は車速センサ、９は操作スイッチ、１０は無線通信機（送信手段）である。
【図１】
0004560976.tif 000002
【図２】
0004560976.tif 000003
【図３】
0004560976.tif 000004
【図４】
0004560976.tif 000005
【図５】
0004560976.tif 000006
【図６】
0004560976.tif 000007
【図７】
0004560976.tif 000008